(57)【特許請求の範囲】
【請求項１】
天板と底板を重ね合わせて両者間に熱媒経路を形成している本体と、
温度センサと、
温度センサを天板に固定している固定部材を備えており、
底板が熱媒と異なる温度の異温部材に接して配置され、
底板が異温部材に接する位置と温度センサを天板に固定している位置の間に、伝熱経路の断面積を縮小する溝が形成されていることを特徴とする熱交換装置。
【請求項２】
底板が異温部材に接する位置と底板が天板に接する位置の間において、底板に前記溝が形成されていることを特徴とする請求項１に記載の熱交換装置。
【請求項３】
底板が天板に接する位置と温度センサを天板に固定している位置の間において、温度センサを天板に固定するブラケットに前記溝が形成されていることを特徴とする請求項１または２に記載の熱交換装置。
【請求項４】
温度センサは、温度センサが固定されている温度センサ支持板を介して天板に固定され、
天板は平坦であって底板よりも薄く、
底板は湾曲しており、
異温部材は、動作時に発熱する電子機器を収容しているケースの壁であることを特徴とする請求項２または３に記載の熱交換装置。
【発明の詳細な説明】
【技術分野】
【０００１】
例えば、動作すると発熱する半導体装置を冷却するために、内部を冷却液が通過する熱交換器本体の外側表面上に半導体装置を配置し、冷却液で半導体装置を冷却する熱交換装置が知られている。本明細書では、熱交換器本体の内側を通過する熱媒と、熱交換器本体の外側に配置した機器類との間で熱交換する装置を開示する。熱媒は、液体に限られず、気体であってもよいし、気体と液体の中間的な状態であってもよい。あるいは機器類を冷却する熱交換装置であってもよいし、機器類を加熱する熱交換装置であってもよい。
【背景技術】
【０００２】
熱交換装置の場合、熱媒の温度を正確に検出する必要があることが多い。特に、車載されている走行用モータに通電する電力を調整する半導体装置と冷却液の間で熱交換して半導体装置を冷却する場合には、冷却液の温度を正確に検出する必要が高い。また冷却液の温度が変化する場合には、その変化を瞬時に検出する必要が高い。
【０００３】
熱媒の温度を検出する温度センサを熱交換器本体の内側に配置することは難しい。通常は熱交換器本体の外側に温度センサを配置する。熱交換器本体の外側に温度センサを配置する場合には温度センサの出力に様々な要素が影響を及ぼす。
熱交換器本体は、他の部材に固定されて用いられることが多い。正確に観察すると、熱媒の温度と、熱交換器本体が固定されている他の部材の温度は相違する。熱交換器本体が固定されている他部材を、本明細書では異温部材という。熱交換器本体の外側に配置した温度センサで異温部材の温度に影響されずに熱媒の温度を検出するには、種々の配慮を必要とする。
【０００４】
図７と図８は、特願２０１０−２６８１１５号の明細書と図面に記載されている熱交換装置の温度センサの近傍を示している。ただし、この出願はまだ公開されていない。その熱交換装置は、天板８と底板６を重ね合わせて両者間に熱媒経路４を形成している熱交換器本体７を備えている。
【０００５】
温度センサ１８は、下記のようにして固定されている。底板６と天板８が重ねあわせた位置に、ボルト１２が通過する貫通孔６ａ，８ａが形成されている。貫通孔６ａ内にボルト１２が圧入されて固定されている。ボルト１２の軸部が天板８の貫通孔８ａを通過している。温度センサ１８は温度センサ支持板１６に固定されている。温度センサ支持板１６には、ボルト１２の軸部が通過する貫通穴１６ａが形成されている。温度センサ支持板１６の貫通穴１６ａにボルト１２の軸部を通し、ボルト１２の先端にナット１４をねじ込むことで、ナット１４と天板８の間で温度センサ支持板１６を挟みつけて固定している。温度センサ１８は、天板８を介して熱媒経路４に向かい合う位置に固定される。
【０００６】
熱交換器本体７の複数個所に貫通穴２４が設けられており、それらを貫通するボルト２５をケース２の壁にねじ込むことで、熱交換器本体７がケース２に固定される。熱交換器本体７がケース２に固定されると、底板６とケース２が密着する。図示２７はスリーブである。ケース２は、動作すると発熱する電子機器を収容しており、ケース２の壁の温度は、熱媒経路４内の熱媒の温度と相違する。本明細書でいう異温部材に相当する。
【０００７】
特許文献１にも、温度センサが取り付けられている熱交換装置が開示されている。特許文献１では、温度センサがプレートに埋め込まれたロジックプレートを用いている。
【先行技術文献】
【特許文献】
【０００８】
【特許文献１】特開２００２−３０５０１０号公報
【発明の概要】
【発明が解決しようとする課題】
【０００９】
図７と図８に示した構造によると、異温部材２から温度センサ１８に伝熱される熱量が無視できず、温度センサ１８の検出結果に異温部材２の温度が影響してしまう。すなわち、温度センサで熱媒の温度を正確に検出することができない。特許文献１に開示されているロジックプレートを用いても、異温部材の影響を排除できない。
【００１０】
本明細書では、異温部材の影響を減少させ、温度センサで熱媒の温度を正確に検出することができる熱交換装置を開示する。
【課題を解決するための手段】
【００１１】
本明細書で開示する熱交換装置は、天板と底板を重ね合わせて両者間に熱媒経路を形成している本体と、温度センサと、温度センサを天板に固定している固定部材を備えている。底板は熱媒と異なる温度の異温部材に接して配置される。底板が異温部材に接する位置と温度センサを天板に固定している位置の間に、伝熱経路の断面積を縮小する溝が形成されている。
上記の熱交換装置によると、溝によって、異温部材から温度センサへ至る伝熱経路の断面積が縮小し、異温部材から温度センサへ伝熱する熱量が減少する。温度センサの検出結果に異温部材が与える影響を抑制できる。
【００１２】
底板が異温部材に接する位置と底板が天板に接する位置の間において、底板に伝熱経路の断面積を縮小する溝を形成してもよい。あるいは、底板が天板に接する位置と温度センサを天板に固定している位置の間において、ブラケットに溝を形成してもよい。底板とブラケットの双方に溝を形成してもよい。このブラケットは、温度センサを天板に固定している。
【００１３】
温度センサは温度センサ支持板に固定されており、固定部材は温度センサ支持板を介して温度センサを天板に固定するものであってもよい。天板は平坦であって底板よりも薄く、底板は湾曲していてもよい。異温部材は、動作時に発熱する電子機器を収容しているケースの壁であてもよい。
【発明の効果】
【００１４】
本明細書に開示されている熱交換装置によると、熱交換器本体に接している異温部材から温度センサへ至る伝熱経路の断面積が縮小し、異温部材から温度センサへ伝熱する熱量を減少させることができる。温度センサの検出結果に異温部材が与える影響を抑制することができる。
【図面の簡単な説明】
【００１５】
【図１】実施例１の熱交換装置の温度センサ固定部分の断面図である。
【図２】実施例１の熱交換装置の温度センサ固定部分の斜視図である。
【図３】実施例１のブラケットを斜視した図である。
【図４】実施例１の底板の底面を斜視した図である。
【図５】実施例２の熱交換装置の温度センサ固定部分の断面図である。
【図６】実施例３の熱交換装置の温度センサ固定部分の断面図である。
【図７】先に出願した熱交換装置の温度センサ固定部分の断面図である。
【図８】先に出願した熱交換装置の温度センサ固定部分の斜視図である。
【発明を実施するための形態】
【００１６】
下記に説明する実施例の主要な特徴を列記する。
特徴１：熱交換器本体の天板の外面上に、動作すると発熱する半導体装置が配置されている。熱交換器本体内を冷却液が通過する。半導体装置を冷却液で冷却する。
特徴２：冷却液の検出温度によって、半導体装置の出力電力の上限を制限することで、半導体装置の過熱を防ぐ。温度検出の精度が低ければ、上限値に余裕を持たせる必要があることから上限値を低く設定する必要がある。温度検出の精度が上昇すれば、上限値に持たせる余裕分を圧縮することができ、上限値を上昇させることができる。温度検出の精度を上がると、半導体装置の動作範囲を広げられる。
特徴３：半導体装置は、走行用モータに通電する電流を制御する。半導体装置の動作範囲が広がると、車両の走行性能が向上する。
特徴４：熱交換器本体の底板に、動作すると発熱する電子機器を収容しているケースの壁が接している。
特徴５：温度センサは温度センンサ支持板に固定されている。固定部材は温度センサ支持板を天板に固定する。固定部材は温度センサ支持板を介して温度センサを天板に固定する。
特徴６：温度センサ支持板に貫通部を形成されている。
特徴７：固定部材は、天板を介して熱媒経路に向かい合う位置の天板の外面に固定されているブラケットと、ブラケットに固定されているとともに温度センサ支持板に形成されている貫通部を貫通する軸部材と、貫通部を貫通した軸部材に固定されているとともに温度センサ支持板をブラケットに押付ける押付部材を備えている。
特徴８：天板は平坦であって底板よりも薄く、底板は湾曲しており、熱媒は冷却液であり、温度センサ支持板に形成されている貫通部は貫通穴であり、軸部材はボルトであり、押付部材はナットでる。
【実施例】
【００１７】
図２は、熱交換器本体７の熱媒流入パイプ２２の近傍を斜視しており、図１は、図２のＩ−Ｉ線断面図を示している。図１、図２において、参照番号６は底板を示し、８は天板を示し、１０はブラケットを示し、１２はボルトを示し、１４はナットを示し、１６は温度センサ支持板を示し、１８は温度センサを示し、２０は温度センサの出力を外部に伝達するケーブルを示している。４は熱媒経路を示し、２はケースを示している。天板８の図示しない範囲の外面には、動作すると発熱する半導体装置が、電気的には絶縁体であるけれども熱伝導率が高い材質で形成されている板を介して固定されている。ケース２内には、動作すると発熱する電子機器が収容されている。熱媒経路４には、冷却液が通過し、天板８に接している半導体装置を冷却し、底板４に接しているケース２の壁を冷却する。ケース２の壁の温度と、熱媒経路４内の熱媒の温度は相違している。ケース２は異温部材である。天板８と底板４は、熱伝導率が高いアルミ合金で形成されている。本実施例の場合、熱交換器本体７は冷却器本体であり、熱媒は冷却液であり、熱媒経路４は冷却液経路である。ただし、本実施例の温度センサの固定構造は、冷却の場合にのみ有効なものでなく、熱媒で加熱する場合にも有効であるし、熱媒が気体の場合も有効である。
【００１８】
図１に示すように、天板８は平坦であり、底板６は屈曲しており、両者を重ね合わせて両端の重なり合った部分をロウ付けすることで、熱媒経路４が形成されている。天板８と底板６の重合範囲には複数個の貫通穴２４が設けられており、それらを貫通するボルト２５をケース２の壁にねじ込むことで、熱交換器本体７がケース２に固定される。熱交換器本体７がケース２に固定されると、底板６とケース２が密着する。図示２７はスリーブである。
【００１９】
天板８に温度センサ１８を固定するために、天板８の外面にブラケット１０がロウ付けされている。ブラケット１０には、ボルト１２の頭部と軸部を受け入れる段付の貫通孔１０ａが形成されており、貫通穴１０ａにボルト１２が圧入されている。天板８の外面にブラケット１０がロウ付けされると、ボルト１２の頭部が天板８にロウ付けされることになる。ボルト１２の軸部はブラケット１０から上方に伸びている。
【００２０】
温度センサ１８はサーミスタであり、温度センサ支持板１６に固定されている。温度センサ支持板１６には、ボルト１２に軸部が貫通する貫通穴１６ａが形成されている。ボルト１２の軸部に温度センサ支持板１６の貫通穴１６ａを通してからナット１４がボルト１２にねじ込まれている。ナット１４をボルト１２にねじ込むと、ナット１４が温度センサ支持板１６をブラケット１０に押付け、温度センサ支持板１６を天板８に固定する。ブラケット１０とボルト１２と温度センサ支持板１６は、熱伝導率が高いアルミ合金で形成されている。
【００２１】
ブラケット１０と、ブラケット１０に固定されているボルト１２は、天板８を介して熱媒経路４に向かい合う位置に配置されている。熱媒経路４内の熱媒から温度センサ１８に至る主要な伝熱経路は、熱媒経路４内の熱媒→天板８→ボルト１２→温度センサ支持板１６→温度センサ１８である。熱媒経路４内の熱媒から温度センサ支持板１６に至るまでの伝熱経路の長さが最小化されている。温度センサ支持板１６における貫通穴１６ａの形成位置と、温度センサ１８の固定位置は異なっている。このために、温度センサ１８は天板８を介して熱媒経路４に向かい合っているとは言いがたい位置関係にある。
【００２２】
図７の場合、温度センサ１８は天板８を介して熱媒経路４に向かい合っている。常識的には図７の方が、温度センサ１８によって熱媒の温度を正確かつ迅速に検出できるように思える。しかしながら、実際にはそうでなく、図１の方が、熱媒の温度を正確かつ迅速に検出できる。その理由は、図１でも図７でも、温度センサ１８がブラケット１０ないし天板８に密着していないことから、伝熱量が低いことにある。重要なのは、金属同士が密着していて大きな熱を伝熱する伝熱経路の長さを短くすることであることが判明した。
図１の場合、熱媒経路４内の熱媒から度センサ支持板１６に至るまでの伝熱経路の長さが最小化されており、図７による場合よりも熱媒の温度を正確かつ迅速に検出できる。
【００２３】
図１に示すように、底板６がケース（異温部材）２に接する位置６ｆと、底板６が天板８に接する位置６ｇの間に位置する範囲の底板６に、壁厚の約半分に達する溝６ｂが形成されている。また、底板６がケース２に接する位置６ｆと、底板６が天板８に接する位置６ｈの間に位置する範囲の底板６に、壁厚の約半分に達する溝６ｃが形成されている。溝６ｂ、６ｃは、図４に明瞭に図示されている。
さらに、底板６が天板８に接する位置６ｈと、センサ支持板１６を介して温度センサ１８を天板８に固定するボルト１２の間に位置する範囲のブラケット１０に、ブラケット１０の厚みの約半分に達する溝１０ｂが形成されている。溝１０ｂは、図３に明瞭に図示されている。
【００２４】
溝６ｂは、ケース（異温部材）２から接触箇所６ｆと重合箇所６ｇを経て天板８に達する伝熱経路の断面積を縮小し、伝熱量を減少させる。溝６ｃは、ケース２から接触箇所６ｆと重合箇所６ｈを経て天板８に達する伝熱経路の断面積を縮小し、伝熱量を減少させる。溝１０ｂは、重合箇所６ｈからブラケット１０を経てボルト１２に達する伝熱経路の断面積を縮小し、伝熱量を減少させる。溝６ｂ、６ｃ、１０ｂが形成されているために、ケース（異温部材）２から温度センサ１８に至る伝熱経路の断面積が縮小し、伝熱量が減少し、温度センサ１８の検出結果にケース（異温部材）２の温度が影響することを抑制している。
図１〜４の構造を備えていると、ケース（異温部材）２の温度による影響を抑制し、熱媒の温度を正確かつ迅速に検出できる。
【００２５】
上記実施例では、ブラケット１０に植生したボルト１２にナット１４をねじ込んで温度センサ支持板１６をブラケット１０に押付けている。これに代えて、ブラケット１０にねじ穴を設け、そのねじ穴にボルトをねじ込んでボルトの頭部で温度センサ支持板１６をブラケット１０に押付けてもよい。ブラケットに固定されている軸部材は、ブラケット１０に植生したボルト１２の軸部であてもよいし、ブラケット１０にねじ込んだボルトの軸部であてもよい。温度センサ支持板１６をブラケット１０に押付ける押付け部材は、ナット１４でもよいし、ボルトの頭部でもよい。
ボルトとナットに代えて、ブラケット１０に打ち込んで固定するリベットを用いることもできる。リベットの頭部で温度センサ支持板１６をブラケット１０に押付けることができる。軸部材は、ブラケットと一体成形したものであってもよい。
【００２６】
図５では、底板６がケース２と接触する範囲６ｄを平坦とし、底板６とケース２と広い範囲で接触している。溝６ｂ、６ｃ、１０ｂによって、温度センサ１８の検出結果にケース（異温部材）２の温度が影響することを抑制できるので、底板６とケース２を広い範囲で接触させることができる。
【００２７】
図６は、図７の構造に溝６ｅを形成したものである。この場合も、ケース２から重合部６ｇを経てボルト１２に伝熱する熱量を抑えることができる。本明細書で開示する技術は、図７、図８に示す実施例に適用することもできる。
【００２８】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００２９】
２：ケース（異温部材）
４：熱媒経路
６：底板
６ａ：貫通穴
６ｂ、６ｃ、６ｅ：溝
６ｄ：ケースとの接触面
６ｆ：ケースとの接触位置
６ｇ、６ｈ：天板８と重なり合う部分
７：熱交換器本体
８：天板
８ａ：貫通穴
１０：ブラケット
１０ａ：貫通穴
１０ｂ：溝
１２：ボルト
１４：ナット
１６：温度センサ支持板
１８：温度センサ
２０：ケーブル
２２：冷媒流入パイプ
【図１】
0005838762.tif 000002
【図２】
0005838762.tif 000003
【図３】
0005838762.tif 000004
【図４】
0005838762.tif 000005
【図５】
0005838762.tif 000006
【図６】
0005838762.tif 000007
【図７】
0005838762.tif 000008
【図８】
0005838762.tif 000009